(57)【要約】【課題】　ハウジングの構造を簡素化することができ、リアホルダを用いて接続端子を第１の係合位置から第２の係合位置に押し込む。【解決手段】　電線１３付きの接続端子１４は、リアホルダ１２が第１の係合位置にあるときに上段のようにハウジングに傾斜状態で挿入され、下段のように接続端子１４はリアホルダ１２上に位置する。この状態で、スタビライザ片２４の前端縁が端子係止部４９の前方係止部５２に当接して接続端子１４の前進が停止し、接続端子１４は傾斜状態から水平状態になる。そこで、リアホルダ１２を第２の係合位置に向けて押し込むと、接続端子１４は共に圧着部収容室４６内に押し込まれる。【選択図】図４
2004095563.tif 000002
【特許請求の範囲】
【請求項１】
　接続端子を収容するハウジングの後部に、接続端子を係止するための先端を自由端とし可撓性を有する端子係止部を備えたリアホルダを嵌合し、前記ハウジングとリアホルダとは前記リアホルダを中間まで挿入した第１の係合位置と、前記リアホルダを前記ハウジングに対して十分に押し込んだ第２の係合位置とでそれぞれ係合し、前記リアホルダの第１の係合位置において、前記接続端子を傾斜させた状態で前記ハウジング内に挿入して前記リアホルダ上に装着し前記端子係止部により前記接続端子の一部を係止し、前記リアホルダを前記接続端子と共に前記第２の係合位置に移動することを特徴とするコネクタ。
【請求項２】
　前記端子係止部の両側に端子前方係止部を形成し、前記接続端子の中間部に設けた一対のスタビライザ片を前記端子前方係止部に係止するようにした請求項１に記載のコネクタ。
【発明の詳細な説明】
【技術分野】
【０００１】
　本発明は、例えば自動車等の電気配線に使用され、接続端子を係止するためのリアホルダをハウジングの後部に備えたコネクタに関するものである。
【背景技術】
【０００２】
　従来のコネクタでは、ハウジングに収容した接続端子の抜け出しを、ハウジングに設けた端子係止部により一次的に防止すると共に、ハウジングの後部に係合したリアホルダにより二次的に防止する場合が多い。例えば図５に示すように、ハウジング１の後部にはリアホルダ２が中間まで嵌挿されており、ハウジング１の端子収容孔３には、後部に電線４を接続した接続端子５が収容されるようになっている。ハウジング１には端子収容孔３に収容された接続端子５の端子接続部５ａを一次的に係止する係止ランス６が設けられ、リアホルダ２の後方部には接続端子５の被覆圧着部５ｂを二次的に係止する係止部材７がヒンジ８を介して形成されている。
【０００３】
　ここで、係止部材７は接続端子５を端子収容孔３に挿入し易くするためにヒンジ８により外方に折曲されており、接続端子５を端子収容孔３に挿入した後に平行に戻されるようになっている。
【０００４】
　接続端子５を端子収容孔３に挿入した後に、係止部材７の本体部７ａを平行にして端子収容孔３の後部に圧入すると、リアホルダ２が前進すると共に係止部材７の係止突起７ｂがハウジング１の係止孔９に嵌合し、リアホルダ２がハウジング１に錠止される。このとき、係止ランス６が接続端子５の端子接続部５ａを係止すると共に、係止部材７が接続端子５の被覆圧着部５ｂを係止し、接続端子５は二重に係止されたことになる。
【発明の開示】
【発明が解決しようとする課題】
【０００５】
　しかしながら上述した従来例では、接続端子５を端子収容孔３に挿入し易くするために、係止部材７をヒンジ８により外方に折曲しておかなければならず、リアホルダ２の構造が複雑になるという問題がある。
【０００６】
　本発明の目的は、上述した問題点を解消し、構造が簡素でリアホルダにより接続端子を挿着し得る小型のコネクタを提供することにある。
【課題を解決するための手段】
【０００７】
　上述の目的を達成するための本発明に係るコネクタは、接続端子を収容するハウジングの後部に、接続端子を係止するための先端を自由端とし可撓性を有する端子係止部を備えたリアホルダを嵌合し、前記ハウジングとリアホルダとは前記リアホルダを中間まで挿入した第１の係合位置と、前記リアホルダを前記ハウジングに対して十分に押し込んだ第２の係合位置とでそれぞれ係合し、前記リアホルダの第１の係合位置において、前記接続端子を傾斜させた状態で前記ハウジング内に挿入して前記リアホルダ上に装着し前記端子係止部により前記接続端子の一部を係止し、前記リアホルダを前記接続端子と共に前記第２の係合位置に移動することを特徴とする。
【発明の効果】
【０００８】
　本発明に係るコネクタによれば、端子係止部をリアホルダに形成したので、ハウジングの構造を簡素化することができ、リアホルダは第１の係合位置で接続端子を傾斜状態で挿入される接続端子を受け入れ、第２の係合位置に接続端子を押し込む。
【発明を実施するための最良の形態】
【０００９】
　本発明を図１〜図４に図示の実施例に基づいて詳細に説明する。
図１は第１の実施例の断面図であり、合成樹脂製のハウジング１１の後部に合成樹脂製のリアホルダ１２が嵌合され、電線１３付きの接続端子１４がハウジング１１に収容された状態を示している。接続端子１４は導電金属板により形成され、図示しない相手側端子を接続する角筒状の端子接続部２１と、電線１３の芯線を圧着する芯線圧着部２２と、電線１３の被覆を圧着する被覆圧着部２３とが前方から順次に設けられ、端子接続部２１の後部には左右に対向する２枚のスタビライザ片２４が形成されている。
【００１０】
　図２はハウジング１１とリアホルダ１２の分解斜視図であり、ハウジング１１の上壁の相手側コネクタハウジングとの錠止機構３１を除いて上下及び左右が対称形に形成されている。ハウジング１１の内部は隔壁３２により上下が仕切られ、仕切片３３により左右が仕切られて複数の端子収容室３４が形成されている。隔壁３２と仕切片３３の間には、リアホルダ１２の後述する連結板が嵌合する隙間３５が設けられている。端子収容室３４の前端部には、接続端子１４の前方への移動を規制する規制部３６が形成され、その後部の隔壁３２には、後面に傾斜面３７ａを有する端子支持台３７が設けられてい。
【００１１】
　また、仕切片３３同士の間隔は接続端子１４の左右動を防止し、隔壁３２に対向する前方対向壁３４ａと端子支持台３７の間隔は端子接続部２１の上下動を防止するようになっている。隔壁３２に対する中間対向壁３４ｂと後方対向壁３４ｃの間隔は、接続端子１４を端子収容室３４に容易に挿入できるように後方に向けて大きくされ、中間対向壁３４ｂは接続端子１４を挿入する際に傾斜した端子接続部２１が接触するように傾斜され、後方対向壁３４ｃは被覆圧着部２３が接触するように水平に又は若干傾斜されている。最外側の仕切片３３ａと側壁の間には、隔壁３２の側縁の外側を通る隙間３８が設けられている。更に側壁には、リアホルダ１２の後述する案内突起を案内する案内窓３９と、リアホルダ１２の後述する錠止突起を内側から導き入れる錠止溝４０とが形成されている。
【００１２】
　一方、リアホルダ１２にはハウジング１１の隙間３８に嵌入する両側の側板４１と、これらの側板４１を連結しハウジング１１の隙間３５に嵌入する連結板４２とが設けられ、連結板４２にはハウジング１１の隔壁３２が嵌合するスリット４３が設けられている。側板４１の外面には、ハウジング１１の前述した錠止溝４０に嵌合する錠止突起４４と、ハウジング１１の前述した案内窓３９に嵌入する案内突起４５とが設けられている。そして連結板４２の上下面には、被覆圧着部２３の突端部２３ａを収容する圧着部収容室４６と、電線１３を支持する電線支持台４７とが設けられ、電線支持台４７にはハウジング１１の仕切片３３の先端を案内する仕切片案内溝４８とが形成されている。
【００１３】
　また、連結板４２の前端縁には、ハウジング１１の仕切片３３同士の間に進入する幅で、先端を自由端とし可撓性を有する端子係止部４９が一体に設けられている。上下の端子係止部４９同士の間隔は、ハウジング１１の隔壁３２が進入してスリット４３に嵌合すると共に、端子係止部４９が隔壁３２側へ撓むことができるようになっている。
【００１４】
　更に、端子係止部４９には前端部に斜面部４９ａが形成され、傾斜した接続端子１４の端子接続部２１が端子収容室３４に進入し易くされている。端子係止部４９の中間部には、端子接続部２１の後端部を係止する後方係止部５０が設けられ、後方係止部５０の上面は傾斜面５０ａとされている。そして、端子係止部４９の両側面にはスタビライザ片２４を案内する案内溝５１が形成され、案内溝５１の前壁は後方係止部５０が端子接続部２１を係止した際にスタビライザ片２４の前縁を係止する前方係止部５２とされている。
【００１５】
　このように構成されたハウジング１１とリアホルダ１２とは、図３に示すようにリアホルダ１２がハウジング１１の後部に中間まで挿入された第１の係合位置と、図１に示すようにリアホルダ１２がハウジング１１に対して十分に押し込まれた第２の係合位置とでそれぞれ係合される。リアホルダ１２の第１の係合位置では、ハウジング１１の隔壁３２がリアホルダ１２の端子係止部４９同士の間に進入してスリット４３に嵌合し、リアホルダ１２の側板４１がハウジング１１の隙間３８に嵌入する。また、リアホルダ１２の錠止突起４４と案内突起４５はハウジング１１の案内窓３９に嵌入する。そして、リアホルダ１２の第２の係合位置では、案内突起４５が案内窓３９の前壁に当接すると共に、錠止突起４４がハウジング１１の錠止溝４０に嵌合する。
【００１６】
　電線１３付きの接続端子１４は、リアホルダ１２が第１の係合位置にあるときにハウジング１１に傾斜状態で挿入される。このとき、図３の上段に示すように端子接続部２１は、中間対向壁３４ｂにより押圧されると共に、図３の下段に示すように端子係止部４９を撓ませながら前進する。そして、図４の上段に示すようにスタビライザ片２４の前端縁が前方係止部５２に当接して接続端子１４の前進が停止し、端子係止部４９が復元する。この状態から電線１３を隔壁３２側に押圧して接続端子１４を傾斜状態から水平状態にすると、図４の下段に示すように被覆圧着部２３の突端部２３ａが圧着部収容室４６に嵌入する。
【００１７】
　リアホルダ１２をハウジング１１に対して十分に押し込むと、図１に示すようにリアホルダ１２が第２の係合位置に移動し、端子接続部２１の前方部が前方対向壁３４ａと端子支持台３７の間に嵌合する。このとき、リアホルダ１２の案内突起４５が案内窓３９の前壁に当接すると共に、リアホルダ１２の錠止突起４４がハウジング１１の錠止溝４０に嵌合する。
【００１８】
　この実施例では、接続端子１４の揺動を前方対向壁３４ａと端子支持台３７と両側の仕切片３３とにより防止でき、接続端子１４の前方への移動をハウジング１１の前方規制部３６と端子係止部４９の前方係止部５２とにより防止でき、更に接続端子１４の後方への移動を、端子係止部４９の後方係止部５０と圧着部収容室４６の後壁とにより防止できる。
【００１９】
　また、端子係止部４９をリアホルダ１２に形成したので、ハウジング１１の形状を簡素にすることができる上に、ハウジング１１の材質が限定されることを防止できる。従って、ハウジング１１の形成時間を短縮でき、製造コストを削減できる。そして、接続端子１４を傾斜状態で挿入きるので、接続端子１１の後部と端子係止部４９との干渉を防止でき、端子係止部４９を撓ませながら接続端子１４を挿入するため、接続端子１４の通過する空間を狭くすることができ、ハウジング１１を小型にすることができる。
【図面の簡単な説明】
【００２０】
【図１】実施例の断面図である。
【図２】ハウジングとリアホルダの分解斜視図である。
【図３】作用説明図である。
【図４】作用説明図である。
【図５】従来例の断面図である。
【符号の説明】
【００２１】
　１１　ハウジング
　１２　リアホルダ
　１４　接続端子
　２１　端子接続部
　２２　芯線圧着部
　２３　被覆圧着部
　２４　スタビライザ片
　３４　端子収容室
　４６　圧着部収容室
　４９　端子係止部
　５０　後方係止部
　５１　案内溝
　５２　前方係止部
【図１】
2004095563.tif 000003
【図２】
2004095563.tif 000004
【図３】
2004095563.tif 000005
【図４】
2004095563.tif 000006
【図５】
2004095563.tif 000007